(57)【要約】【課題】手指や手の甲、掌を怪我したり火傷したときなどに、指サック同様に、その傷口や治療箇所などを簡単に防水できる防水用ゴム手袋を提供する。【解決手段】手袋使用者の手の親指ｐ、人差指ｉ、中指ｍ、薬指ａ及び小指ｃの五指を個々に間隙余裕をもって覆うか又は親指ｐと他の四指ｉ〜ｃ全部を夫々間隙余裕をもって覆う指覆い部２と、手の甲及び掌ｋを間隙余裕をもって覆う甲掌覆い部３と、手首ｎを間隙余裕をもって覆う手首覆い部４とが、ゴム材によって一体形成されていると共に、手首覆い部４の開口周縁部４ｏは、他の部分より肉厚で扁平状に形成されていて、手首ｎに対し食い込むことなく密着して防水シールするようになっている。【選択図】図２
0003105367.tif 000002
【実用新案登録請求の範囲】
【請求項１】
手袋使用者の手の親指、人差指、中指、薬指及び小指の五指を個々に間隙余裕をもって覆うか又は親指と他の四指全部を夫々間隙余裕をもって覆う指覆い部と、手の甲及び掌を間隙余裕をもって覆う甲掌覆い部と、手首を間隙余裕をもって覆う手首覆い部とが、ゴム材によって一体形成されていると共に、手首覆い部の開口周縁部は、他の部分より肉厚で扁平状に形成されていて、手首に対し食い込むことなく密着して防水シールするようになっていることを特徴とする防水用ゴム手袋。
【請求項２】
手袋使用者の手の親指、人差指、中指、薬指及び小指の五指を個々に間隙余裕をもって覆うか又は親指と他の四指全部を夫々間隙余裕をもって覆う指覆い部と、手の甲及び掌を間隙余裕をもって覆う甲掌覆い部と、手首から前腕の中間所要部までを間隙余裕をもって覆う半袖部とが、ゴム材によって一体形成されていると共に、半袖部の開口周縁部は、他の部分より肉厚で扁平状に形成されていて、前腕に対し食い込むことなく密着して防水シールするようになっていることを特徴とする防水用ゴム手袋。
【請求項３】
手袋使用者の手の親指、人差指、中指、薬指及び小指の五指を個々に間隙余裕をもって覆うか又は親指と他の四指全部を夫々間隙余裕をもって覆う指覆い部と、手の甲及び掌を間隙余裕をもって覆う甲掌覆い部と、手首から上腕の中間所要部までを間隙余裕をもって覆う長袖部とが、ゴム材によって一体形成されていると共に、長袖部の開口周縁部は、他の部分より肉厚で扁平状に形成されていて、上腕に対し食い込むことなく密着して防水シールするようになっていることを特徴とする防水用ゴム手袋。
【考案の詳細な説明】
【技術分野】
【０００１】
本考案は、手を怪我したり火傷したときなどに手にはめて、その傷口や治療箇所などを防水して細菌などの侵入から保護する防水用ゴム手袋に関するものである。
【背景技術】
【０００２】
手の指を怪我した時などに指にはめる指サックは従来より知られている。この指サックは、手の指にはめるゴム製の袋で、指の長さとほぼ同じ長に形成されていて、指の付け根部をサックの開口周縁部でシールし、傷口を細菌の侵入から保護するものである。
【考案の開示】
【考案が解決しようとする課題】
【０００３】
指サックは、指先や指の中間部を怪我したときなどにその傷口などを保護するもので、指の付け根を怪我したような場合は、指サックでは保護することができない。しかして、従来、指以外の手の部分や腕の部分を怪我したり火傷したときなどに、その傷口や治療箇所などを指サック同様に保護できるものがなかったため、入浴したり水仕事をするときに傷口や治療箇所などが水に濡れないようにするのに大変な苦労を強いられていた。
【０００４】
本考案は、上記の課題に鑑み、手指や手の甲及び掌更に腕を手を怪我したり火傷したときなどに、指サックと同様にして、その傷口や治療箇所などを簡単に防水することができる防水用ゴム手袋を提供することを目的とする。
【課題を解決するための手段】
【０００５】
上記課題を解決するための手段を、後述する実施形態の参照符号を付して説明すると、請求項１に係る考案の防水用ゴム手袋は、手袋使用者の手の親指ｐ、人差指ｉ、中指ｍ、薬指ａ及び小指ｃの五指を個々に間隙余裕をもって覆うか又は親指ｐと他の四指ｉ〜ｃ全部を夫々間隙余裕をもって覆う指覆い部２と、手の甲及び掌ｋを間隙余裕をもって覆う甲掌覆い部３と、手首ｎを間隙余裕をもって覆う手首覆い部４とが、ゴム材によって一体形成されていると共に、手首覆い部４の開口周縁部４ｏは、他の部分より肉厚で扁平状に形成されていて、手首ｎに対し食い込むことなく密着して防水シールするようになっていることを特徴とする。
【０００６】
請求項２に係る考案の防水用ゴム手袋は、手袋使用者の手の親指ｐ、人差指ｉ、中指ｍ、薬指ａ及び小指ｃの五指を個々に間隙余裕をもって覆うか又は親指ｐと他の四指ｉ〜ｃ全部を夫々間隙余裕をもって覆う指覆い部２と、手の甲及び掌ｋを間隙余裕をもって覆う甲掌覆い部３と、手首ｎから前腕ｖの中間所要部までを間隙余裕をもって覆う半袖部５とが、ゴム材によって一体形成されていると共に、半袖部５の開口周縁部５ｏは、他の部分より肉厚で扁平状に形成されていて、前腕ｖに対し食い込むことなく密着して防水シールするようになっていることを特徴とする。
【０００７】
請求項３に係る考案の防水用ゴム手袋は、手袋使用者の手の親指ｐ、人差指ｉ、中指ｍ、薬指ａ及び小指ｃの五指を個々に間隙余裕をもって覆うか又は親指ｐと他の四指ｉ〜ｃ全部を夫々間隙余裕をもって覆う指覆い部２と、手の甲及び掌ｋを間隙余裕をもって覆う甲掌覆い部３と、手首ｎから上腕ｗの中間所要部までを間隙余裕をもって覆う長袖部６とが、ゴム材によって一体形成されていると共に、長袖部６の開口周縁部６ｏは、他の部分より肉厚で扁平状に形成されていて、上腕ｗに対し食い込むことなく密着して防水シールするようになっていることを特徴とする。
【考案の効果】
【０００８】
上記解決手段による発明の効果を、後述する実施形態の参照符号を付して説明すると、  請求項１に係る考案によれば、手指ｐ〜ｃや手の甲及び掌ｋを怪我したり火傷したときなどに、指サックと同様にしてその傷口や治療箇所などを簡単に防水することができる。また手首覆い部４の開口周縁部４ｏが他の部分よりも肉厚で扁平状に形成されているから、手首ｎに強く食い込むことなく密着して防水シールできて、そのまま入浴できるし水仕事ができる。また指覆い部２、甲掌覆い部３及び手首覆い部４が夫々手袋使用者の手指ｐ〜ｃ、甲掌ｋ及び手首ｎに対し夫々間隙余裕をもって形成されているから、手指ｐ〜ｃや甲掌ｋを怪我して包帯などを巻き付けた場合にも包帯などを強く圧迫することなくはめることができて、傷口などを痛めたり、感触を悪くすることがなく、そして十分に手作業を行うことができる。
【０００９】
請求項２に係る考案によれば、上記請求項１の効果に加えて、手袋使用者の手首ｎ更には前腕ｖまで覆うことができ、半袖部５の開口周縁部５ｏが前腕ｖに密着して防水シールすることができる。
【００１０】
請求項３に係る考案によれば、上記請求項１及び請求項２の効果に加えて、手袋使用者の前腕ｖから更に上腕ｗまで覆うことができ、長袖部６の開口周縁部５ｏが上腕ｗに密着して防水シールすることができる。
【考案を実施するための最良の形態】
【００１１】
以下に本考案の好適な実施形態について図面に基づいて説明すると、図１の(a) は本考案に係る防水用ゴム手袋１の平面図、(b) は(a) のイ−イ線断面図、(c) は(a) のロ−ロ線断面図、(d) は(a) のハ−ハ線拡大断面図であり、図２の(a) は手袋使用者の手にはめた状態の防水用ゴム手袋１を示す平面図、(b) は(a) のニ−ニ線拡大断面図である。この防水用ゴム手袋１は、手袋使用者の手の親指ｐ、人差指ｉ、中指ｍ、薬指ａ及び小指ｃの五指を個々に間隙余裕をもって覆う親指覆い部２ｐ、人差指覆い部２ｉ、中指覆い部２ｍ、薬指覆い部２ａ及び小指覆い部２ｃからなる指覆い部２と、手の甲及び掌（手のひら）ｋを間隙余裕をもって覆う甲掌覆い部３と、手首ｎを間隙余裕をもって覆う手首覆い部４とが、合成ゴムからなるゴム材によって一様な厚さに一体に形成されたもので、十分な伸縮性を有する。尚、図２の(a) には、手袋使用者の掌側のみを示し、手の甲側は図示を省略するが、この掌と甲とを合わせて、符号ｋで示す。
【００１２】
本考案に係る防水用ゴム手袋１の特徴は、図１の(d) 及び図２の(b) から分かるように、手首覆い部４の開口周縁部４ｏが他の部分よりも肉厚で且つ扁平状に形成されていて、手首ｎに対して食い込むことなく密着して防水シールするようになっていることである。因みに、従来より使用されている指サックの開口周縁部は、その断面形状が円形状であるため、指に食い込んで感触が非常に悪い。したがって、手首覆い部４の開口周縁部４ｏの断面形状を指サック同様に断面円形状にすれば、開口周縁部４ｏが手首ｎに食い込んで、感触が悪い上、大変な苦痛を伴うことになる。もちろん、手首覆い部４の開口周縁部４ｏは、手袋使用者の手首ｎに密接して防水できるように、手袋使用者の手首ｎの大きさに応じた径に形成される。尚、手首覆い部４の扁平状開口周縁部４ｏは、周方向の収縮性を有する。
【００１３】
この防水用ゴム手袋１の他の特徴は、図２の(a) から分かるように、指覆い部２を形成する親指覆い部２ｐ、人差指覆い部２ｉ、中指覆い部２ｍ、薬指覆い部２ａ及び小指覆い部２ｃが、使用者の手の親指ｐ、人差指ｉ、中指ｍ、薬指ａ及び小指ｃに対し夫々十分な間隙余裕をもって筒状に形成され、また甲掌覆い部３及び手首覆い部４も手の甲掌ｋ及び手首ｎに対し夫々十分な間隙余裕をもって筒状に形成されいる点である。このゴム手袋１は、ゴム材で形成されているから、伸縮性を有しているが、そのように十分な間隙余裕をもたせることにより、指や掌や手首を怪我して包帯などを巻き付けた場合にも包帯などを強く圧迫することなく、はめることができて、感触を悪くせず、しかも十分に手作業が行えるようにしたものである。更に他の特徴は、このゴム手袋１は、例えば病院で手術などに使用される使い捨てゴム手袋のように薄いものではなく、何度も使用できるように、開口周縁部４ｏを除いて手袋全体に一様で比較的厚い厚さに形成されていることである。
【００１４】
この図２の(a) は、例えば親指ｐの付け根部分を怪我して包帯１０を巻き付けた状態で防水用ゴム手袋１を手袋使用者の手にはめた状態を示している。また、手首覆い部４の開口周縁部４ｏは手袋使用者の手首ｎに密接している。この場合、開口周縁部４ｏは、他の部分よりも肉厚で扁平状に形成されているから、手首ｎに対し強く食い込むことがなく、なめらかに密着して確実に防水シールすることができる。したがって、この手袋１をはめて、入浴したり、水仕事などをしても、手袋１内に水が入るおそれがなく、しかも手に対し十分な間隙余裕があるので、手指を十分に動かすことができる。
【００１５】
図３の(a) は本考案に係る他の手袋１１を手袋使用者の手にはめた状態の平面図、(b)
は(a) のホ−ホ線拡大断面図である。この防水用ゴム手袋１１は、手袋使用者の手の親指ｐ、人差指ｉ、中指ｍ、薬指ａ及び小指ｃの五指を夫々個々に間隙余裕をもって覆う親指覆い部２ｐ、人差指覆い部２ｉ、中指覆い部２ｍ、薬指覆い部２ａ及び小指覆い部２ｃからなる指覆い部２と、手の甲及び掌ｋを間隙余裕をもって覆う甲掌覆い部３と、手首ｎを間隙余裕をもって覆う手首覆い部４と、手首ｎから前腕ｖの中間所要部（例えば肘の手前部分）までを十分な間隙余裕をもって覆う半袖部５とが、合成ゴムからなるゴム材により一様な厚さに一体に形成されたもので、半袖部５の開口周縁部５ｏは図３の(b) に示すように他の部分よりも肉厚で且つ扁平状に形成されていて、前腕ｖに対し食い込むことなく密着して防水シールするようになっている。
【００１６】
この防水用ゴム手袋１１は、図１と図２により説明した防水用ゴム手袋１の手首覆い部４に半袖部５を連成して、手袋使用者の前腕ｖまで覆うことができるようにしたもので、この半袖部５の開口周縁部５ｏが防水用ゴム手袋１の手首覆い部４の開口周縁部４ｏと同様に扁平状に形成されて、前腕ｖに密着して防水シールするようになっており、半袖部５を追加した点以外は、防水用ゴム手袋１と同じ構成である。
【００１７】
また図３の(a) は、例えば手首ｎから前腕ｖの前部にわたる部分を怪我して包帯１０を巻き付けた状態で防水用ゴム手袋１１を手袋使用者の手にはめた状態を示している。また(b) から分かるように半袖部５の開口周縁部５ｏは手袋使用者の前腕ｖに密接している。この場合も開口周縁部５ｏは、他の部分よりも肉厚で扁平状に形成されているから、前腕ｖに対してきつく食い込むことがなく、なめらかに密着して確実に防水シールすることができ、したがって入浴したり、水仕事をしても、手袋１内に水が入るおそれがなく、また手に対し間隙余裕があるので、指や手首を十分に動かすことができる。
【００１８】
図４の(a) は本考案に係る更に他の手袋２１を手袋使用者の手にはめた状態の平面図、(b) は(a) のヘ−ヘ線拡大断面図である。この防水用ゴム手袋２１は、手袋使用者の手の親指ｐ、人差指ｉ、中指ｍ、薬指ａ及び小指ｃの五指を夫々個々に間隙余裕をもって覆う親指覆い部２ｐ、人差指覆い部２ｉ、中指覆い部２ｍ、薬指覆い部２ａ及び小指覆い部２ｃからなる指覆い部２と、手の甲及び掌ｋを間隙余裕をもって覆う甲掌覆い部３と、手首ｎを間隙余裕をもって覆う手首覆い部４と、手首ｎから前腕ｖ、肘ｅ及び上腕ｗの中間所要部までを十分な間隙余裕をもって覆う長袖部６とが、合成ゴムからなるゴム材によって一様な厚さに一体に形成されたもので、長袖部６の開口周縁部６ｏは図４の(b) に示すように他の部分よりも肉厚で且つ扁平状に形成されていて、上腕ｗに対し食い込むことなく密着して防水シールするようになっている。
【００１９】
この防水用ゴム手袋２１は、肘ｅを越えて上腕ｗに至る部分まで覆うことができるように、図３に示した防水用ゴム手袋１１の半袖部５を長く延ばして長袖部６としたもので、この長袖部６の開口周縁部６ｏが手袋１の手首覆い部４の開口周縁部４ｏや手袋１１の半袖部５の開口周縁部５ｏと同様に扁平状に形成されて、上腕ｗに密着して防水シールするようになっており、手袋１１の半袖部５に代えて長袖部６とした点以外は、防水用ゴム手袋１，１１と同じ構成である。
【００２０】
また図４の(a) は、例えば手首ｎの骨を骨折し、手の甲及び掌ｋから手首ｎを経て前腕ｖまでをギブス１３で固定した状態から防水用ゴム手袋２１を使用者の手にはめた状態を示している。また(b) から分かるように長袖部６の開口周縁部６ｏは手袋使用者の上腕ｗの中間所要部に密接している。この場合も、上腕ｗの開口周縁部５ｏは、他の部分よりも肉厚で扁平状に形成されているから、前腕ｖに対しきつく食い込むことがなく、なめらかに密着して確実に防水シールすることができる。したがって、そのまま入浴したり、水仕事をしても、手袋１内に水が入るおそれがなく、また手に対し間隙余裕があるので、手指、手首ｎ、前腕ｖ、肘ｅや上腕ｗを十分に動かすことができる。
【００２１】
図１〜図４によって説明した防水用ゴム手袋１，１１，２１は、何れの指覆い部２も、使用者の手の親指ｐ、人差指ｉ、中指ｍ、薬指ａ及び小指ｃの五指を個々に覆うように親指覆い部２ｐと人差指覆い部２ｉと中指覆い部２ｍと薬指覆い部２ａと小指覆い部２ｃとからなるものであるが、図５の(a) 〜(c) には、手袋使用者の手の親指ｐを間隙余裕をもって覆う親指覆い部２ｐと、他の四指である人差指ｉ、中指ｍ、薬指ａ及び小指ｃを全部まとめて間隙余裕をもって覆う四指覆い部２ｉ−２ｃとからなることを特徴とする防水用ゴム手袋３１，４１，５１を示している。手の親指ｐ、人差指ｉ、中指ｍ、薬指ａ及び小指ｃについては図２及び図３に示す。
【００２２】
先ず図５の(a) に示す防水用ゴム手袋３１は、親指覆い部２ｐと四指覆い部２ｉ−２ｃとからなる指覆い部２と、手の甲及び掌ｋを間隙余裕をもって覆う甲掌覆い部３と、手首ｎを間隙余裕をもって覆う手首覆い部４とが、ゴム材によって一様な厚さに一体に形成されたもので、手首覆い部４の開口周縁部４ｏは他の部分よりも肉厚で扁平状に形成され、手首ｎに対し食い込むことなく密着して防水シールするようになっている。
【００２３】
図５の(b) に示す防水用ゴム手袋４１は、親指覆い部２ｐと四指覆い部２ｉ−２ｃとからなる指覆い部２と、手の甲及び掌ｋを間隙余裕をもって覆う甲掌覆い部３と、手首ｎを間隙余裕をもって覆う手首覆い部４と、手首ｎから前腕ｖの中間所要部までを十分な間隙余裕をもって覆う半袖部５とが、ゴム材によって一様な厚さに一体に形成されたもので、半袖部５の開口周縁部５ｏが他の部分よりも肉厚で扁平状に形成されて、前腕ｖに対し食い込むことなく密着して防水シールするようになっている。
【００２４】
図５の(c) に示す防水用ゴム手袋５１は、親指覆い部２ｐと四指覆い部２ｉ−２ｃとからなる指覆い部２と、手の甲及び掌ｋを間隙余裕をもって覆う甲掌覆い部３と、手首ｎを間隙余裕をもって覆う手首覆い部４と、手首ｎから前腕ｖ、肘ｅ及び上腕ｗの中間所要部までを十分な間隙余裕をもって覆う長袖部６とが、ゴム材によって一様な厚さに一体に形成されたもので、長袖部６の開口周縁部６ｏが他の部分よりも肉厚で扁平状に形成され、上腕ｗに対し食い込むことなく密着して防水シールするようになっている。
【００２５】
この図５の(a) 〜(c) に示すような防水用ゴム手袋３１，４１，５１によれば、図１〜図４に示す防水用ゴム手袋１，１１，２１に比べ、指覆い部２の形状が簡単となるから、ゴム手袋３１，４１，５１の製作が容易となる。
【図面の簡単な説明】
【００２６】
【図１】(a) は本考案に係る防水用ゴム手袋１の平面図、(b) は(a) のイ−イ線断面図、(c) は(a) のロ−ロ線断面図、(d) は(a) のハ−ハ線拡大断面図である。
【図２】(a) は手袋使用者の手にはめた状態の防水用ゴム手袋１を示す平面図、(b)は(a) のニ−ニ線拡大断面図である。
【図３】(a) は本考案に係る他の手袋１１を手袋使用者の手にはめた状態の平面図、(b) は(a) のホ−ホ線拡大断面図である。
【図４】(a) は本考案に係る更に他の手袋２１を手袋使用者の手にはめた状態の平面図、(b) は(a) のヘ−ヘ線拡大断面図である。
【図５】図５の(a) 〜(c) は、夫々指覆い部２が親指覆い部２ｐと、他の四指を全部まとめて覆う四指覆い部２ｉ−２ｃとからなる防水用ゴム手袋３１，４１，５１を示す夫々平面図である。
【符号の説明】
【００２７】
１，１１，２１      防水用ゴム手袋
ｐ                  手袋使用者の親指
ｉ                  手袋使用者の人差指
ｍ                  手袋使用者の中指
ａ                  手袋使用者の薬指
ｃ                  手袋使用者の小指
ｋ                  手の甲及び掌ｋ
ｎ                  手首
ｖ                  前腕
ｗ                  上腕
２                  指覆い部
２ｐ                親指覆い部
２ｉ                人差指覆い部
２ｍ                中指覆い部
２ａ                薬指覆い部
２ｃ                小指覆い部
２ｉ−２ｃ          四指覆い部
３                  甲掌覆い部
４                  手首覆い部
５                  半袖部
６                  長袖部
４ｏ，５ｏ，６ｏ    開口周縁部
３１，４１，５１    防水用ゴム手袋
【図１】
0003105367.tif 000003
【図２】
0003105367.tif 000004
【図３】
0003105367.tif 000005
【図４】
0003105367.tif 000006
【図５】
0003105367.tif 000007